(57)【要約】【課題】レシートと紙幣の排出方向を揃えて排出させて、レシートを紙幣に添える動作を省略し、オペレータにとっての使いやすさや操作性を向上させるものである。【解決手段】レシートプリンタを有するＰＯＳ端末と、前記ＰＯＳ端末に接続された紙幣釣銭機と硬貨釣銭機とからなる貨幣入出金装置とを備え、前記レシートプリンタのレシート発行口と前記紙幣釣銭機の紙幣払出口とをその排出方向を揃えて近接配置したことを特徴とするものである。【選択図】図２
2012247878.tif 000002
【特許請求の範囲】
【請求項１】
レシートプリンタを有するＰＯＳ端末と、
前記ＰＯＳ端末に接続された紙幣釣銭機と硬貨釣銭機とからなる貨幣入出金
装置とを備え、
前記レシートプリンタのレシート発行口と前記紙幣釣銭機の紙幣払出口とをその排出方向を揃えて近接配置したことを特徴とする入出金管理システム。
【請求項２】
前記レシートプリンタの前記レシート発行口は前記紙幣釣銭機の前記紙幣払出口の上方位置に近接配置したことを特徴とする請求項1記載の入出金管理システム。
【請求項３】
前記紙幣釣銭機の前記紙幣払出口の隣に前記硬貨釣銭機の硬貨受皿を近接配置したことを特徴とする請求項1ないし2記載の入出金管理システム。
【発明の詳細な説明】
【技術分野】
【０００１】
本発明の実施形態は入出金管理システムに関する。
【背景技術】
【０００２】
従来、入出金管理システムは、商品販売データ処理装置としてのＰＯＳ端末と貨幣入出金装置としての釣銭機とを有するＰＯＳシステムが知られている。近年、特に商品販売データ処理装置（ＰＯＳ端末）に接続された自動釣銭機が普及してきており、自動釣銭機の導入はレジの効率化や正確性の向上などの面でメリットは大きいものであった。
【先行技術文献】
【特許文献】
【０００３】
【特許文献１】特開2009-134641号公報
【発明の概要】
【発明が解決しようとする課題】
【０００４】
しかしながら、このような入出金管理システム（ＰＯＳシステム）において、ＰＯＳ端末のレシートプリンタやこのＰＯＳ端末に接続された自動釣銭機（硬貨釣銭機と紙幣釣銭機）はそれぞれが独立した排出口を有しており、これらの排出口は、キャッシャにとって紙幣およびレシートの取りやすさや、お客様への渡しやすさについて十分考慮されているとは云い難いものであった。 また、多くの量販店ではつり銭を、紙幣を取り揃えた後、レシートをその紙幣の上に添え、その上に硬貨を載せてお客様に渡している。
【０００５】
そこで、本発明が解決しようとする課題は、レシートと紙幣の排出方向を揃えて排出させて、レシートを紙幣に添える動作を省略し、キャッシャにとっての使いやすさや操作性を向上させるものである。
【課題を解決するための手段】
【０００６】
本発明の実施形態における入出金管理システムは、レシートプリンタを有するＰＯＳ端末と、前記ＰＯＳ端末に接続された紙幣釣銭機と硬貨釣銭機とからなる貨幣入出金装置とを備え、前記レシートプリンタのレシート発行口と前記紙幣釣銭機の紙幣払出口とをその排出方向を揃えて近接配置したことを特徴とする。
【図面の簡単な説明】
【０００７】
【図１】実施形態の入出金管理システムを示すシステム構成図。
【図２】実施形態のＰＯＳ端末および釣銭機を示す外観斜視図。
【図３】釣銭機を示す機能ブロック図。
【発明を実施するための形態】
【０００８】
以下、実施形態の入出金管理システムを図面を参照して説明する。本実施形態の入出金管理システムは、商品販売データ処理装置としてのＰＯＳ端末１と貨幣入出金装置としての釣銭機２とを有するＰＯＳシステム３への適用例である。
【０００９】
図１は、実施形態の入出金管理システムを示すシステム構成図である。図１に示すように、入出金管理システムとしてのＰＯＳシステム３は、店舗４に設置された店舗コンピュータ５と、各店舗４を統括する統括部６に設置された上位コンピュータ７とを有する。店舗コンピュータ５と上位コンピュータ７とは、通信ネットワーク８を介して互いにデータ通信可能に接続されている。
【００１０】
店舗コンピュータ５は、店舗４のバックヤードに配置されており、この店舗コンピュータ５には、ＬＡＮケーブル９を介して、複数台のＰＯＳ端末１が接続されている。ＰＯＳ端末１は、店舗４の売り場に配置されており、各々のＰＯＳ端末１には、いわゆるリサイクル型の自動釣銭機である釣銭機２がデータ通信可能に接続されている。
【００１１】
図２は、ＰＯＳ端末１および釣銭機２を示す外観斜視図である。ＰＯＳ端末１は釣銭機２の上に載置されており、この釣銭機２は売り場のレジ台（図示せず）に配置されている。
【００１２】
ＰＯＳ端末１は、各部をその内部又は外部に配置するハウジング１３を備え、このハウジング１３の上面にはキーボード１４が設けられている。そしてキーボード１４の上方位置には、キャッシャに対しての情報表示機能を有するキャッシャ用表示器１５が配置されている。ハウジング１３及びキャッシャ用表示器１５の左側で、且つ、釣銭機２の上には、レシート用紙に印刷してレシートＲを発行するレシートプリンタ１６が配置されている。このレシートプリンタ１６の前面にはレシート発行口１６ａが形成されている。キャッシャ用表示器１５の背面側には、客用表示器（図示せず）が配置されている。さらに、ＰＯＳ端末１はバーコードスキャナ１７を有する。
【００１３】
釣銭機２は、左右に配置された紙幣釣銭機１８と硬貨釣銭機１９とから構成され、紙幣釣銭機１８の上にはレシートプリンタ１６が、及び硬貨釣銭機１９の上にはＰＯＳ端末１のハウジング１３がそれぞれ配置されている。そして、紙幣釣銭機１８の前面には、上側に紙幣Ｍが払い出される紙幣払出口１８ａが、および下側に紙幣Ｍの入金を許容する紙幣投入口１８ｂがそれぞれ設けられている。硬貨釣銭機１９の上面前側には、その右側に上方に開口した硬貨投入口１９ｂが設けられ、この硬貨投入口１９ｂは複数枚の硬貨のまとまった投入を許容するものである。そして、硬貨投入口１９ｂの左側には、硬貨が払い出される硬貨払出口１９ａと、硬貨払出口１９ａから払い出された硬貨を受ける硬貨受皿１９ｃとが設けられている。
【００１４】
次に、レシートプリンタ１６のレシート発行口１６ａ、紙幣釣銭機１８の紙幣払出口１８ａ、及び硬貨釣銭機１９の硬貨受皿１９ｃの配置関係について説明する。図２に示すように、レシート発行口１６ａは、紙幣払出口１８ａの上方位置で、且つ、排出方向を揃えて、この紙幣払出口１８ａに近接して配置されている。硬貨受皿１９ｃは、紙幣払出口１８ａの側方位置に近接して配置されている。
【００１５】
図３は、釣銭機２を示す機能ブロック図である。釣銭機２は、硬貨（１円硬貨、５円硬貨、１０円硬貨、５０円硬貨、１００円硬貨、５００円硬貨）についての入出金機能を有する硬貨入出金部としての硬貨釣銭機１９と、紙幣（１０００円紙幣、５０００円紙幣、１００００円紙幣）についての入出金機能を有する紙幣入出金部としての紙幣釣銭機１８とを有する。
【００１６】
まず、硬貨釣銭機１９について説明する。硬貨釣銭機１９は、硬貨入金部２０、硬貨選別部２１、硬貨収納部２２、及び硬貨出金部２３から構成されている。硬貨入金部２０は、硬貨投入口１９ｂを（図２参照）を含み、硬貨投入口１９ｂに投入された硬貨の入金を許容して硬貨を内部に搬送する。硬貨選別部２１は、硬貨入金部２０が入金を許容した硬貨をその搬送過程で金種に応じて選別する。硬貨収納部２２は、硬貨選別部２１が選別した硬貨を金種別に収納する。硬貨出金部２３は、硬貨払出口１９ａ及び硬貨受皿１９ｃ（図２参照）を含み、硬貨収納部２２が収納している硬貨を、ＰＯＳ端末１からの払出指示に応じて硬貨払出口１９ａから出金する。
【００１７】
また、硬貨釣銭機１９は、硬貨選別部２１に金種毎に設けられて入金された硬貨を検出する硬貨入金センサ（図示せず）と、硬貨出金部２３に金種毎に設けられて出金される硬貨を検出する硬貨出金センサ（図示せず）を有する。
【００１８】
次に、紙幣釣銭機１８について説明する。紙幣釣銭機１８は、紙幣入金部２４、紙幣選別部２５、紙幣収納部２６、及び紙幣出金部２７から構成されている。紙幣入金部２４は、紙幣投入口１８ｂ（図２参照）を含み、紙幣投入口１８ｂに投入された紙幣の入金を許容して紙幣を内部に搬送する。紙幣選別部２５は、紙幣入金部２４が入金を許容した紙幣をその搬送過程で金種に応じて選別する。紙幣収納部２６は、紙幣選別部２５が選別した紙幣を金種別に収納する。紙幣出金部２７は、紙幣払出口１８ａ（図２参照）を含み、紙幣収納部２６が収納している紙幣を、ＰＯＳ端末１からの払出指示に応じて紙幣払出口１８ａから出金する。
【００１９】
また、紙幣釣銭機１８は、紙幣選別部２５に設けられて入金された紙幣を検出する紙幣入金センサ（図示せず）と、紙幣出金部２７に設けられて出金される紙幣を検出する紙幣出金センサ（図示せず）を有する。
【００２０】
次に、本ＰＯＳシステム３における決済処理について説明する。キャッシャは、顧客から買上商品の会計の申し出を受けると、先ず、ＰＯＳ端末１に接続されたスキャナ１７等を操作して買上商品をＰＯＳ端末１に登録する。そして、登録を完了したならば、入金確認キーを操作する。そうすると、買上商品に対する請求金額が算出され、キャッシャ用表示器１５及び客用表示器（図示せず）の請求金額エリアに表示される。
【００２１】
そこでキャッシャは、この請求金額に見合った代金の支払を顧客から受ける。そして、顧客から支払い代金として紙幣や硬貨などの貨幣を預かると、紙幣は紙幣釣銭機１８の紙幣投入口１８ｂに、硬貨は硬貨釣銭機１９の硬貨投入口１９ｂにそれぞれ投入し、確定キーを操作する。
【００２２】
そうすると、紙幣釣銭機１８では紙幣投入口１８ｂに投入された紙幣の合計金額、すなわち紙幣投入金額が勘定され、硬貨釣銭機１９では硬貨投入口１９ｂに投入された硬貨の合計金額、すなわち硬貨投入金額が勘定される。かくして、ＰＯＳ端末１では、紙幣投入金額と硬貨投入金額とが合算されて預かり投入金額が算出され、キャッシャ用表示器１５及び客用表示器（図示せず）の預かり投入金額エリアに表示される。
【００２３】
そこでキャッシャは、預かり投入金額が請求金額以上であり決済可能と判断したならば、預／現計キーを操作して１商取引の締めを宣言する。そうすると、ＰＯＳ端末１では預かり合計金額から請求金額が減算されて釣銭額が算出される。ここで、釣銭額が０円より大きい場合には、その釣銭額の払出指令が紙幣釣銭機１８及び硬貨釣銭機１９に送信される。これにより、紙幣の釣銭は紙幣釣銭機１８の紙幣払出口１８ａに排出され、硬貨の釣銭は硬貨釣銭機１９の硬貨払出口１９ａ及び硬貨受皿１９ｃに排出される。同時に、買上商品明細データや合計金額、預かり合計金額、釣銭額等が印字されたレシートＲがレシートプリンタ１６のレシート発行口１６ａに排出される。そしてキャッシャは、釣銭とともにレシートＲを顧客に渡して、当該顧客との商取引を終了させる。
【００２４】
以上、説明したように、本実施形態の入出金管理システムによれば、レシート発行口は、紙幣払出口の上方位置で、且つ、排出方向を揃えて近接配置されているので、取引終了時の釣銭授受時、釣銭に紙幣がある場合は、その排出された紙幣とその上に排出されたレシートを同時に取ることができる。また、硬貨受皿は、紙幣払出口の側方位置に近接配置されているので、釣銭に紙幣と硬貨がある場合、紙幣とレシートを同時に取った後に硬貨を取ることで、紙幣、レシート、硬貨の順に積み重ねて渡すことができる。すなわち、釣銭授受時におけるキャッシャにとっての使いやすさや操作性を向上させるものである。
【００２５】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２６】
１              ＰＯＳ端末（商品販売データ処理装置）
２              釣銭機（貨幣入出金装置）
３              ＰＯＳシステム（入出金管理システム）
１６            レシートプリンタ
１６ａ          レシート発行口
１８            紙幣釣銭機
１８ａ          紙幣払出口
１８ｂ          紙幣投入口
１９            硬貨釣銭機
１９ａ          硬貨払出口
１９ｂ          硬貨投入口
１９ｃ          硬貨受皿
Ｍ              紙幣
Ｒ              レシート
【図１】
2012247878.tif 000003
【図２】
2012247878.tif 000004
【図３】
2012247878.tif 000005